(57)【要約】【課題】光ディスク装置において、移動部側回路基板と固定部側回路基板とを接続するフレキシブル配線基板が、トレイ引き込み移動時にボトムケースとボトムカバーとの間に挟み込まれないようにする。【解決手段】装置の表面側を覆うトップカバーの内面の、トレイの移動状態時に該フレキシブル配線基板と対向しかつ該トレイの引き込み移動完了状態時には光ディスクの半径よりも外側に位置する部分に、凸状部を設け、トレイの引き込み移動時、上記配線基板の一部の平面部分が上記トップカバーの内面に当接するときは、該当接部が、該トレイの引き込み移動に対応して該凸状部の先端面上をすべりながら該トレイの引き込み移動方向に移動する構成とする。【選択図】図７
2009110599.tif 000002
【特許請求の範囲】
【請求項１】
光ディスクに対して情報を記録または再生する光ディスク装置であって、
上記光ディスクにレーザ光を照射し反射光を受光する光ピックアップと、
上記光ピックアップを光ディスクの略半径方向に移動させるピックアップ移動機構と、
上記光ディスクを回転駆動するディスクモータと、
上記光ピックアップ、上記ピックアップ移動機構及び上記ディスクモータが搭載されたシャーシと、
上記シャーシと結合され、装置本体に対する引き込みまたは引き出しの移動により、上記光ディスクを、装置本体内に搬入または該装置本体内から搬出するトレイと、
上記トレイに対しディスク載置面の反対側の面に結合されたボトムカバーと、
上記ボトムカバーの外側に配され、装置の裏面側を覆うボトムケースと、
上記ボトムケースの内面に固定され、外部のホストコンピュータとの間を接続するインターフェース回路が搭載された第１の回路基板と、
上記トレイまたは上記シャーシに固定され、上記第１の回路基板と接続された第２の回路基板と、
上記ボトムケースの内面に固定された第１の平面部分と、上記トレイの上記移動に伴って移動する第２の平面部分とを有し、上記第１、第２の回路基板間を電気的に接続する可撓性の配線基板と、
上記トレイに対しディスク載置面側に配され、装置の表面側を覆うトップカバーであって、その内面の、該トレイの上記移動状態時に上記配線基板の上記第２の平面部分と対向しかつ該トレイの引き込み移動完了状態時には上記光ディスクの半径よりも外側となる部分に、装置内空間側に突出した凸状部を有するトップカバーと、
を備え、
上記トレイの引き込み移動時、上記配線基板の上記第２の平面部分が上記トップカバーの内面に当接するときは、該第２の平面部分の該当接部が、該トレイの引き込み移動に対応して該凸状部の先端面上を該トレイの引き込み移動方向に移動する構成としたことを特徴とする光ディスク装置。
【請求項２】
上記トップカバーは、上記凸状部が、上記配線基板の上記第２の平面部分の幅方向に対して複数個配列され、それぞれが、上記トレイの移動する方向と同じ方向に直線状に伸びた構成である請求項１に記載の光ディスク装置。
【請求項３】
上記トップカバーは、上記凸状部が絞り構造とされた構成である請求項１または請求項２に記載の光ディスク装置。
【請求項４】
上記トップカバーは、上記凸状部の先端面の高さが０．２×１０−３ｍから０．３×１０−３ｍとされた構成である請求項１または請求項２に記載の光ディスク装置。
【発明の詳細な説明】
【技術分野】
【０００１】
本発明は、トレイにより光ディスクを装置本体に対して搬入・搬出する方式の光ディスク装置に係り、特に、そのトップカバーの構造に関する。
【背景技術】
【０００２】
従来より、例えばノートパソコンなどに搭載される光ディスク装置等では、なお一層の装置の薄型・軽量化や低コスト化を標榜した開発が進められている。光ディスクをトレイによって装置本体内に搬入または装置本体内から搬出する方式の光ディスク装置においては、トレイを含む装置の移動部上に設けた回路基板と固定部上に設けた回路基板との間を、可撓性の配線基板（以下、フレキシブル配線基板という）により電気的に接続している。装置の薄型・軽量化や低コスト化を図る中において、かかるフレキシブル配線基板についても、装置動作の信頼性を向上させるための技術や信号処理性能を劣化させないようにするための技術などが検討されている。光ディスク装置における該フレキシブル配線基板に関連した技術であって、文献に記載されたものとしては、例えば、特開２００４−２３４８０３号公報（特許文献１）や特開平１１−２５６６６号公報（特許文献２）に記載された技術がある。特開２００４−２３４８０３号公報には、記録及び／又は再生装置において、記録媒体を移動可能に支持する移動体に接続されるフレキシブル配線基板として平面略Ｕ字形状のものを用い、該Ｕ字形状の２つの腕部のうち、移動体のコネクタに接続される腕部（第２の腕部）の構成として、先端部にカバーレイを貼着して該先端部の剛性を後端部の剛性よりも高くして、ディスクトレイが装置本体から排出された状態のときに装置本体とディスクトレイとの間に形成されるクリアランスよりも下方にフレキシブル配線基板が撓むことがないようにするとした構成と、移動体が移動するときに屈曲する該第２の腕部内の領域を他の領域よりも薄肉構造にして屈曲時の負荷を減らすとした構成とが記載され、また、特開平１１−２５６６６号公報には、光ピックアップと回路基板とを接続するフレキシブル配線板（フレキシブル配線基板）１７と金属製カバー３２との接触部分に発生する静電容量を減らして伝送信号波形の劣化を防ぐために、該金属製カバー３２に凹凸部４１を設け、フレキシブル配線板１７との接触面積を減らすとした構成が記載されている。
【０００３】
【特許文献１】特開２００４−２３４８０３号公報
【特許文献２】特開平１１−２５６６６号公報
【発明の開示】
【発明が解決しようとする課題】
【０００４】
光ディスク装置において、装置の薄型化のためには、装置の外形寸法の縮小化に付随して装置内の高さ方向寸法も縮小される。装置内の高さ方向の寸法が縮小された構成においては、装置のトレイを含む移動部に設けた回路基板と固定部に設けた回路基板との間を接続するフレキシブル配線基板は、トレイが装置本体内へ引き込み移動する時に、該フレキシブル配線基板の可動部を形成する平面の一部分が対向するトップカバーの内面に当接し、該当接による摩擦力とトレイの引き込み移動変位とによって該フレキシブル配線基板がボトムケース側に大きく撓み、該撓んだ部分の一部がボトムカバーとボトムケースとの間に垂れ下がって該両者間に挟み込まれ、トレイの引き込み移動ができなくなるおそれがある。
【０００５】
図１０−図１４は、従来の薄型の光ディスク装置１００'の構成及びトレイ６'の引き込み移動時の状態の説明図である。図１０は、光ディスク装置１００'の表面側（光ディスクを搭載する側）（＋Ｚ軸方向側）の構成を示す図であって、トレイ６'が装置本体側のボトムケース５０'及びトップカバー２００'から引き出されたときの状態を示す斜視図、図１１は、トップカバー２００'を外した場合の状態を示す図、図１２は、光ディスク装置１００'の裏面側（−Ｚ軸方向側）の構成を示す斜視図、図１３は、トレイ６'の引き込み移動時の状態説明図、図１４は、トレイ６'の引き込み移動時におけるフレキシブル配線基板８０'とトップカバー２００'の内面との当接状態の説明図である。
【０００６】
図１０、図１１に示す光ディスク装置１００'において、ユニットメカ部のシャーシ５'上には、光ピックアップ４'や、ピックアップ移動機構や、ディスクモータ３'が搭載されている。図中、３ａ'は、光ディスクが載置されるターンテーブル、３ｂ'は、光ディスク（図示なし）の中心孔に挿入され該光ディスクをクランプするクランパ、８'は、光ピックアップ４'とシャーシ５'上の回路基板（図示なし）との間を接続するフレキシブル配線基板（ＦＰＣ）、５０'は、装置の裏面側（−Ｚ軸方向側）を覆うボトムケース、５１'は、トレイ６'の側端部の外側に摺動可能に係合し該トレイ６'の引き出し移動や引き込み移動に付随して±Ｘ軸方向に移動するレール部材である。また、図１１に示すように、ボトムケース５０'の平坦状の内面５０ａ'には、装置のメイン回路基板８５'や、該メイン回路基板８５'とユニットメカ部上の回路基板（図示なし）との間を接続するフレキシブル配線基板８０'などが取付けられている。該フレキシブル配線基板８０'は平面形状をＵ字状とされ、該Ｕ字状平面のうちの一方の部分８０ａ'がボトムケース５０'の平坦な内面５０ａ'上に固定され、他方の部分８０ｃ'は、トレイ６'の装置本体に対する引き込み・引き出し移動に従って移動及び変形を行うようになっている。該一方の部分８０ａ'は、その根元側の端部が、コネクタ９０'を介してメイン回路基板８５'に接続され、また、該他方の部分８０ｃ'は、折り返された状態でその先端部が、コネクタ（図示なし）を介してユニットメカ部のシャーシ５'上の回路基板に接続されている。ディスクモータ３'は、シャーシ５'の裏面側（−Ｚ軸方向側）において、モータ固定板（図示なし）によりシャーシ５'に取付けられ、該シャーシ５'は、例えば防振部材を介してトレイ６'に結合されている。また、該モータ固定板の下方（−Ｚ軸方向）には、トレイ６'に固定されたボトムカバー（図示なし）がある。該ボトムカバーは、トレイ６'が装置本体側のボトムケース５０'に対して引き出し移動や引き込み移動をするとき、所定寸法の空隙を介して該フレキシブル配線基板８０'の上記一方の部分８０ａ'の上方を該トレイ６'とともに移動する。１０'は、トレイ６'に結合された前面パネルである。
【０００７】
図１２は、光ディスク装置１００'が図１０、図１１に示す状態にあるときすなわちトレイ６'が装置本体側のボトムケース５０'及びトップカバー２００'から引き出された状態にあるときの該光ディスク装置１００'の裏面側（−Ｚ軸方向側）の構成を示す図である。トレイ６'が引き出された状態にあるとき、ボトムケース５０'の端面部５０１'とボトムカバー４０'の端面部４０１'との間にはＸ軸方向の寸法ｘｇ'の隙間１２０'が形成され、該光ディスク装置１００'の裏面外方から見た場合、フレキシブル配線基板８０'の上記他方の部分８０ｃ'の一部が該隙間１２０'から露出された状態となる。
【０００８】
図１３は、光ディスク装置１００'において、トレイ６'が装置本体側に引き込み移動されるときのフレキシブル配線基板８０'の変形状態の説明図で、（ａ）は、引き込み移動が開始された直後の状態、（ｂ）は、トレイ６'が装置本体内に引き込まれ始めた移動途中の状態、（ｃ）は、トレイ６'がさらに装置本体内へ引き込まれたときの状態を示す。６０'はモータ固定板、８６'は、ユニットメカ部を構成するシャーシ５'に固定された回路基板、９１'はコネクタである。
【０００９】
図１３（ａ）において、トレイ６'がユニットメカ部とともにＡ方向に引き込み移動を開始した直後の位置にあるときには、フレキシブル配線基板８０'は、他方の部分８０ｃ'（図１１）が該トレイ６'の移動変位によって湾曲状に変形し、その平面の一部の平面部分８０ｃ１'がトップカバー２００'の内面２００ａ'に対し、該トップカバー２００'のＸ軸方向の端部２００ｔ'から距離ｘ２ａ'の位置Ｃ２ａ'で当接（面接触）する。フレキシブル配線基板８０'の該他方の部分８０ｃ'のうち、該当接平面部分８０ｃ１'よりもコネクタ９０'側にある平面部分を８０ｃ２'、該当接平面部分８０ｃ１'よりもコネクタ９１'側にある平面部分を８０ｃ３'とする。（ａ）の状態においては、フレキシブル配線基板８０'は、当接平面部分８０ｃ１'においてトップカバー２００'の内面２００ａ'に当接するとき、平面部分８０ｃ３'は、トレイ６'の移動変位によって該コネクタ９１'側から押されて変形し、角θａ'の方向の力Ｆ２ａ１'を平面部分８０ｃ１'に作用させる。該平面部分８０ｃ１'は、該力Ｆ２ａ１'によって押された状態でトップカバー２００'の内面２００ａ'に位置Ｃ２ａ'において当接する。該平面部分８０ｃ１'と該内面２００ａ'との当接は、図１４に示すように、フレキシブル配線基板８０'の平面部分８０ｃ１'の幅寸法ｗ'の全体において行われるため、該当接平面部分８０ｃ１'と、該内面２００ａ'との間に大きな摩擦を発生する。該当接平面部分８０ｃ１'は、このとき、該摩擦に基づく反力を受け、該反力に基づく力Ｆ２ａ２'が平面部分８０ｃ３'に作用する。このため、該平面部分８０ｃ３'のうち、該当接平面部分８０ｃ１'側にある部分においては、該力Ｆ２ａ２'により、トレイ６'の移動に従って該平面部分８０ｃ３'が−Ｘ軸方向に移動変位することが阻まれる。一方、平面部分８０ｃ３'のうち、コネクタ９１'側にある部分においては、トレイ６'の移動に従って該平面部分８０ｃ３'が−Ｘ軸方向に移動変位する。従って、平面部分８０ｃ３'において、当接平面部分８０ｃ１'側にある部分とコネクタ９１'側にある部分との間の部分には、トレイ６'の引き込み移動（−Ｘ軸方向の移動）に伴い、−Ｚ軸方向のたるみが発生することになる。該たるみは、トレイ６'の移動変位ととともに増大するが、本（ａ）の状態では、該たるみ量はまだ少なく、ボトムケース５０'の端面部５０１'とボトムカバー４０'の端面部４０１'との間の隙間１２０'（Ｘ軸方向寸法ｘｇａ'）から該たるみの一部が突出するまでには至っていない。
【００１０】
トレイ６'の引き込み移動動作は、フレキシブル配線基板８０'の上記他方の部分８０ｃ'の一部の平面部分８０ｃ１'がトップカバー２００'の内面２００ａ'に当接したままの状態で進行する。トレイ６'の引き込み移動動作が進行し、図１３（ｂ）の状態になると、フレキシブル配線基板８０'は、平面部分８０ｃ１'が、トップカバー２００'のＸ軸方向の端部２００ｔ'から距離ｘ２ｂ'の位置Ｃ２ｂ'で該トップカバー２００'の内面２００ａ'に当接（面接触）する。すなわち、当接平面部分８０ｃ１'の位置は、トレイ６'の移動変位に付随して、他方の部分８０ｃ'内においてもまたトップカバー２００'に対しても変化する。上記距離ｘ２ｂ'は、上記（ａ）における距離ｘ２ａ'以上の値となるが、当接平面部分８０ｃ１'とトップカバー２００'の内面２００ａ'との間の摩擦が大きい場合には、該両者間のすべりが抑えられるため、該距離ｘ２ｂ'と距離ｘ２ａ'との差は小さい。図１３（ｂ）の状態においては、フレキシブル配線基板８０'は、平面部分８０ｃ１'がトップカバー２００'の内面２００ａ'と当接するとき、平面部分８０ｃ３'は、上記（ａ）の場合よりもさらに大きく変形し、角θｂ'（θｂ'＞θａ'）の方向の力Ｆ２ｂ１'を平面部分８０ｃ１'に作用させる。平面部分８０ｃ１'は、該力Ｆ２ｂ１'によって押された状態でトップカバー２００'の内面２００ａ'に位置Ｃ２ｂ'において当接する。該当接も、上記（ａ）の位置Ｃ２ａ'における当接と同様、図１４に示すように、フレキシブル配線基板８０'の平面部分８０ｃ１'の幅寸法ｗ'の全体において行われるため、該平面部分８０ｃ１'と、該内面２００ａ'との間にはやはり大きな摩擦を発生する。該平面部分８０ｃ１'は、このとき、該摩擦に基づく反力を受け、該反力に基づく力Ｆ２ｂ２'が該平面部分８０ｃ３'に作用する。このため、平面部分８０ｃ３'のうち、当接平面部分８０ｃ１'側にある部分においては、該力Ｆ２ｂ２'により、トレイ６'の移動に従って該平面部分８０ｃ３'が−Ｘ軸方向に移動変位することが阻まれる。一方、平面部分８０ｃ３'のうち、コネクタ９１'側にある部分においては、トレイ６'の移動に従って該平面部分８０ｃ３'が−Ｘ軸方向に移動変位する。従って、平面部分８０ｃ３'において、平面部分８０ｃ１'側にある部分とコネクタ９１'側にある部分との間の部分には−Ｚ軸方向のたるみが発生し、平面部分８０ｃ３'におけるたるみ量は、上記（ａ）の状態におけるよりもさらに大きくなる。本（ｂ）の状態では、該たるみ部の一部８０ｃ２ｔ'がボトムケース５０'の端面部５０１'とボトムカバー４０'の端面部４０１'との間の隙間１２０'（Ｘ軸方向寸法ｘｇｂ'）から突出する。
【００１１】
トレイ６'の引き込み移動動作が進み、図１３（ｃ）の状態になると、フレキシブル配線基板８０'は、平面部分８０ｃ３'のたるみ部８０ｃ３ｔ'がボトムケース５０'の上面とボトムカバー４０'の下面との間に挟み込まれる。このため、該状態では、トレイ６'の引き込み移動はこの位置で停止され、光ディスク２の装置内所定位置への搬入ができず、光ディスク装置１００'としての記録または再生動作が不可能となる。また、フレキシブル配線基板８０'自体も損傷し、内部の導体が断線することもある。フレキシブル配線基板８０'の剛性が高く可撓性が低い場合には、トップカバー２００'の内面２００ａ'との摩擦が増大がし易く、−Ｚ軸方向のたるみも増大し易い。フレキシブル配線基板８０'の厚さが厚い場合や幅が広い場合や硬い材質から成るなどの場合には剛性が高くなる。低コストのフレキシブル配線基板の場合は概して、剛性が高く可撓性が低い。
【００１２】
また、上記特許文献に記載され技術のうち、特開２００４−２３４８０３号公報記載の技術は、平面略Ｕ字形状のフレキシブル配線基板を用いることを前提に、該配線基板の可動側の第２の腕部を、剛性の高い領域と低い領域とを有した構成にするとしたもので、フレキシブル配線基板の構造が複雑でコストも増大することが考えられる。また、特開平１１−２５６６６号公報記載の技術は、ディスク再生装置が光ディスクの再生状態にあるときに、フレキシブル配線板（フレキシブル配線基板）１７と金属製カバー３２との接触面積を減らして該接触部分に発生する静電容量を小さくするとした技術であって、トレー（トレイ）引き込み移動時のフレキシブル配線板のたるみによる垂れ下がりを防止するための技術ではない。
【００１３】
本発明の課題点は、上記従来技術の状況に鑑み、光ディスク装置において、トレイを含む装置の移動部上に設けた回路基板と固定部上に設けた回路基板との間を接続するフレキシブル配線基板として簡易な構成のものを用いた場合にも、該フレキシブル配線基板が、トレイの引き込み移動時にボトムケースとボトムカバーとの間に挟み込まれないようにすることである。
【００１４】
本発明の目的は、上記課題点を解決し、薄型で信頼性の高い光ディスク装置を提供することにある。
【課題を解決するための手段】
【００１５】
上記課題点を解決するために、本発明では、トレイを含む移動部上に設けた回路基板と固定部上に設けた回路基板との間をフレキシブル配線基板で接続する構成の光ディスク装置として、装置の表面側を覆うトップカバーの内面の、トレイの移動状態時に該フレキシブル配線基板と対向しかつ該トレイの引き込み移動完了状態時には光ディスクの半径よりも外側に位置する部分に、凸状部を設け、トレイの引き込み移動時、上記配線基板の一部の平面部分が上記トップカバーの内面に当接するときは、該当接部が、該トレイの引き込み移動に対応して該凸状部の先端面上をすべりながら該トレイの引き込み移動方向に移動する構成とする。
【発明の効果】
【００１６】
本発明によれば、光ディスク装置において、装置の移動部上に設けた回路基板と固定部上に設けた回路基板との間を接続するフレキシブル配線基板が、トレイの引き込み移動時にボトムケースとボトムカバーとの間に挟み込まれないようにすることができ、薄型の装置においても動作の信頼性を向上させることができる。
【発明を実施するための最良の形態】
【００１７】
以下、本発明の実施例につき、図面を用いて説明する。
【００１８】
図１〜図９は、本発明の実施例の説明図である。図１は、本発明の実施例としての光ディスク装置の構成図であって、トレイを装置本体から引き出した状態を示す斜視図、図２は、図１の光ディスク装置においてトップカバーを外したときの状態を示す斜視図、図３は、図１の光ディスク装置のトップカバーの斜視図、図４は、図３のトップカバーの要部拡大図、図５は、図３のトップカバーの要部断面図、図６は、図１の光ディスク装置においてトレイが装置本体内に光ディスクを搬入し終わった状態における概略的断面構造図、図７は、図１の光ディスク装置におけるトレイの引き込み移動時のフレキシブル配線基板の状態の説明図、図８は、図１の光ディスク装置におけるフレキシブル配線基板とトップカバーとの当接状態を示す断面図、図９は、図１の光ディスク装置におけるトレイ引き込み移動時のフレキシブル配線基板の変形状態の説明図である。
【００１９】
図１及び図２において、１００は、本発明の実施例としての薄型の光ディスク装置、３は、記録媒体としての光ディスク（図示なし）を回転駆動するディスクモータ、３ａはターンテーブル、３ｂは、光ディスクをクランプするクランパ、４は、光ディスクにレーザ光を照射するとともに、その反射光を受光する光ピックアップ、４ａは対物レンズである。光ピックアップ４は、ピックアップ移動機構（図示なし）によって、光ディスクの略半径方向（図１において±Ｘ'方向）に移動される。該ピックアップ移動機構は、表面にねじを備え該ねじの回転により光ピックアップ４を移動させるリードスクリュー部材（図示なし）や、光ピックアップ４の移動を案内するガイド部材（図示なし）や、リードスクリュー部材を回転駆動する送りモータ（図示なし）などを有して構成されている。５は、光ピックアップ４やピックアップ移動機構やディスクモータ３などが搭載されたシャーシ、６は、シャーシ５と結合され、光ディスク装置１００の装置本体に対する引き込みまたは引き出しの移動により、光ディスクを、装置本体内に搬入または該装置本体内から搬出するトレイ、１０は、トレイ６に結合された前面パネルである。ディスクモータ３は、平板状のモータ固定板を介してシャーシ５に結合される。すなわち、該ディスクモータ３はモータ固定板に固定され、該モータ固定板がシャーシ５に固定される。光ピックアップ４、ピックアップ移動機構、ディスクモータ３、シャーシ５及びモータ固定板は、光ディスク装置１００のユニットメカ部を構成するものとする。該シャーシ５は、該ユニットメカ部の基盤として該ユニットメカ部の外周部分を構成する。モータ固定板の下方（−Ｚ軸方向）には、その平面を該モータ固定板の平面に略平行にして該トレイ６のディスク載置面の反対側の面に結合されたボトムカバー（図示なし）が設けられている。シャーシ５は、複数箇所において防振材を介しトレイ６に結合されている。すなわち、ユニットメカ部が、該ユニットメカ部の一部としてのシャーシ５において、装置の複数箇所において防振材を介しトレイ６に結合されている。また、上記トレイ６に対しディスク載置面の反対側の面（−Ｚ軸方向の面）にはボトムカバーが結合され、ユニットメカ部の−Ｚ軸方向側部分を覆っている。
【００２０】
また、図１及び図２において、７は、ユニットメカ部の上面（Ｚ軸方向側の面）を覆うカバー、８は、光ピックアップ４とユニットメカ部上の回路基板（図示なし）との間を接続するフレキシブル配線基板（ＦＰＣ）、５０は、ボトムカバーに対し−Ｚ軸方向の外側に配され、光ディスク装置１００の裏面側を覆うボトムケースである。
【００２１】
また、図１において、２００は、トレイに対しディスク載置面側（Ｚ軸方向側）に配され、装置の表面側を覆うトップカバー、３０１は、トップカバー２００に設けられ、装置内空間側に突出した凸状部である。該凸状部３０１は、本実施例においては絞り加工によって形成された構造（絞り構造）であり、このため、トップカバー２００の表面内で該凸状部３０１の後ろ側に該当する部分は凹状の形状となっている。トップカバー２００とボトムケース５０は装置本体の外殻部を構成する。
【００２２】
また、図２において、５０ａはボトムケース５０の内面、５１は、トレイ６の側端部の外側に摺動可能に係合し該トレイ６の引き出し移動や引き込み移動に付随して±Ｘ軸方向に移動するレール部材、５２は、レール部材５１の外側で該レール部材５１に係合し該レール部材５１の移動を案内するガイドレール部材、８５は、ボトムケース５０の内面５０ａ上に固定され、外部のホストコンピュータとの間を接続するインターフェース回路などが搭載された第１の回路基板としてのメイン回路基板、９０はコネクタ、８１は、シャーシ５に固定された回路基板（第２の回路基板）（図示なし）とメイン回路基板８５との間を接続する可撓性の配線基板としてのフレキシブル配線基板である。該フレキシブル配線基板８１は、帯状の構成とされ、ボトムケース５０の内面５０ａに固定された第１の平面部分８１ａと、トレイ６の引き出し移動や引き込み移動に伴って移動する第２の平面部分８１ｃとを有する。８１ｂは、第１の平面部分８１ａと第２の平面部分８１ｃとの間の平面部分であって、トレイ６の引き込み移動時に第１の平面部分８１ａと平面的に重なる部分である。該第２の平面部分８１ｃは、トレイ６の装置本体に対する引き込み・引き出し移動に従って移動及び変形を行い、その先端部が、コネクタ（図示なし）を介してユニットメカ部のシャーシ５上の回路基板（第２の回路基板）に接続されている。また、第１の平面部分８１ａは、その根元側の端部が、コネクタ９０を介してメイン回路基板８５に接続されている。第２の平面部分８１ｃとこれに隣接した平面部分８１ｂは、トレイ６の引き出し移動や引き込み移動に対応してその領域面積が変化する。すなわち、トレイ６が引き込み移動（−Ｘ軸方向に移動）するときは、第２の平面部分８１ｃの面積が減少して、第１の平面部分８１ａに重なる平面部分８１ｂの面積が増大し、反対に、トレイ６が引き出し移動（＋Ｘ軸方向移動）するときは、第２の平面部分８１ｃの面積が増大して、平面部分８１ｂの面積が減少する。第１の平面部分８１ａは、接着等によりボトムケース５０の内面５０ａ上に固定されている。トップカバー２００の凸状部３０１は、トップカバー２００の内面において、トレイ６の引き出し移動や引き込み移動のときに上記第２の平面部分８１ｃと対向する部分に設けられている。
【００２３】
以下の説明中で用いる図１、図２の各構成要素には、図１、図２の場合と同じ符号を付して用いるとする。
【００２４】
図３、図４及び図５は、図１の光ディスク装置１００のトップカバー２００の構造図である。図３は、トップカバー２００の外観図、図４は、トップカバー２００の凸状部３０１を設けた部分の拡大図、図５は、トップカバー２００の凸状部３０１を設けた部分の断面図である。
【００２５】
図３において、２００ａは、トップカバー２００の内面（−Ｚ軸方向側の面）、４００は、トレイ６の引き込み移動完了状態時における光ディスクの半径位置を示す線である。凸状部３０１は、トップカバー２００の内面において、トレイ６の引き込み移動完了状態時に上記線４００よりも外側に位置する部分に設けられている。
【００２６】
図４は、図３に示す構成中、Ｐ部の構成の拡大図である。図４において、（ａ）は、Ｐ部の拡大構成を示すトップカバー２００の表面図、（ｂ）は同じく裏面図である。凸状部３０１は、トップカバー２００の内面２００ａ上において、フレキシブル配線基板８１の上記第２の平面部分８１ｃの幅方向（Ｙ軸方向）に対して複数個（本実施例の場合は３個）配列され、それぞれが、トレイ６の移動する方向と同じ方向に直線状に伸びた構成である。３０１ａ、３０１ｂ、３０１ｃは該３個の凸状部である。該３個の凸状部３０１ａ、３０１ｂ、３０１ｃはそれぞれ、絞り加工による絞り構造とされ、トップカバー２００の内面において、トレイ６の引き出し移動や引き込み移動のときには上記第２の平面部分８１ｃと対向する部分であってかつトレイ６の引き込み移動完了状態時には光ディスクの半径よりも外側に位置する部分に設けられている。
【００２７】
図５は、図４のトップカバー２００の構成におけるｃ−ｃ断面を示す図である。凸状部３０１ａ、３０１ｂ、３０１ｃはそれぞれ、トップカバー２００の内面２００ａにおいて、先端面の高さｈａ、ｈｂ、ｈｃがそれぞれ、０．２×１０−３ｍから０．３×１０−３ｍの範囲の値、先端面の幅ｗｐａ、ｗｐｂ、ｗｐｃがそれぞれ、１×１０−３ｍから２×１０−３ｍの範囲の値とされている。これらの寸法値は、該凸状部３０１ａ、３０１ｂ、３０１ｃの製作性及び機能確保性の両面から見て実用的な適切値である。
【００２８】
図６は、図１の光ディスク装置１００においてディスクモータ３の回転中心を通るＸ軸方向の直線位置における概略的な断面構造を示し、トレイ６が装置本体内に光ディスクを搬入し終わって、記録または再生動作が可能な状態にされているときの構成を示す。
【００２９】
図６において、２は光ディスク、４０は、トレイ６に対しディスク載置面の反対側の面（−Ｚ軸方向の面）に結合されたボトムカバー、８６は、ユニットメカ部側のシャーシ５に固定されメイン回路基板８５（第１の回路基板）との間で信号をやり取りする回路基板（第２の回路基板）、９１は、回路基板８６に設けられるコネクタ、８１ｒは、フレキシブル配線基板８１の第１の平面部分８１ａと平面部分８１ｂとの間の折り返し部である。他の符号は、図１−図６の場合と同じ構成要素を示す。かかる状態時には、フレキシブル配線基板８１の第１の平面部分８１ａと平面部分８１ｂと折り返し部８１ｒは、ボトムカバー４０とボトムケース５０との間に、ボトムカバー４０の下面（−Ｚ軸方向の面）とは離間した状態で収納される。また、このとき、トップカバー２００の凸状部３０１は、フレキシブル配線基板８１の第２の平面部分８１ｃと対向した位置にはなく、該第２の平面部分８１ｃとはＸ軸方向に遠く隔たった位置にあって、フレキシブル配線基板８１が当接することがないようにしている。また、この状態時には、該凸状部３０１は、光ディスク２の半径よりも外側の位置にあり、光ディスク２も接触しないようにしている。
【００３０】
以下の説明中で用いる上記図３−図６の各構成要素には、図３−図６の場合と同じ符号を付して用いるとする。
【００３１】
図７は、図１の光ディスク装置１００におけるトレイ６の引き込み移動時のフレキシブル配線基板８１の状態の説明図であって、トレイ６がユニットメカ部とともにＡ方向に引き込み移動を開始したときの状態を示し、図８は、フレキシブル配線基板８１とトップカバー２００との当接状態を示す断面図である。
【００３２】
図７において、４０１は、ボトムカバー４０の−Ｘ軸方向の端面部、５０１は、ボトムケース５０のＸ軸方向の端面部、１２０は、端面部４０１と端面部５０１との間に形成される隙間（Ｘ軸方向寸法ｘｇ）、２００ｔは、トップカバー２００のＸ軸方向の端部、Ｃ１は、トップカバー２００の端部２００ｔから距離ｘ１のＸ軸方向位置であって、フレキシブル配線基板８１の第２の平面分８１ｃのうちの一部がトップカバー２００の内面２００ａの凸状部３０１と当接（面接触）する位置、８１ｃ１は、該位置で該凸状部３０１と当接する該第２の平面分８１ｃのうちの一部（当接平面部分）、８１ｃ２は、該第２の平面分８１ｃのうち該当接平面部分８１ｃ１よりもコネクタ９０側にある平面部分、８１ｃ３は、該第２の平面分８１ｃのうち該当接平面部分８１ｃ１よりもコネクタ９１側にある平面部分である。
【００３３】
トレイ６がユニットメカ部とともにＡ方向に引き込み移動を開始するとき、フレキシブル配線基板８１は、第２の平面部分８１ｃが該トレイ６の移動変位によって湾曲状に変形し、その第２の平面部分８１ｃのうちの一部の平面部分８１ｃ１が、トップカバー２００の内面２００ａ上の凸状部３０１に対して、該トップカバー２００の端部２００ｔからＸ軸方向距離ｘ１の位置Ｃ１で当接（面接触）する。第２の平面部分８１ｃにおいて、平面部分８１ｃ１が凸状部３０１の先端面に当接するとき、平面部分８１ｃ３は、トレイ６の移動変位によってコネクタ９１側から押されて変形し、角θ１の方向の力Ｆ１１を当接平面部分８１ｃ１に作用させる。当接平面部分８１ｃ１は、該力Ｆ１１によって押された状態で凸状部３０１の先端面に当接する。該平面部分８１ｃ１と該凸状部３０１の先端面との当接は、図８に示すように、フレキシブル配線基板８１の平面部分８１ｃ１の幅寸法ｗ（例えばｗ＝３０×１０−３ｍ）の一部（例えば幅寸法ｗの１／５から１／１０の幅）において行われる（図８において、凸状部３０１のうち、凸状部３０１ａの先端面と当接するフレキシブル配線基板８１の平面部分を８１ｃ１ａ、凸状部３０１ｂの先端面と当接するフレキシブル配線基板８１の平面部分を８１ｃ１ｂ、凸状部３０１ｃの先端面と当接するフレキシブル配線基板８１の平面部分を８１ｃ１ｃとする）。このため、該平面部分８１ｃ１と、該凸状部３０１の先端面との間には、図１０−図１４で説明した従来の光ディスク装置１００'よりも大幅に小さな摩擦を生じ、当接平面部分８１ｃ１は凸状部３０１の先端面に対して−Ｘ軸方向にすべりを発生する。このとき、当接平面部分８１ｃ１は該摩擦に基づく反力を受け、平面部分８１ｃ３には該反力に基づく力Ｆ１２が作用するが、該力Ｆ１２は、従来の光ディスク装置１００'において、トップカバー２００'の内面２００ａ'とフレキシブル配線基板８０'の当接平面部分８０ｃ１'との間の摩擦により平面部分８０ｃ３'に作用する力よりも大幅に小さい。このため、平面部分８１ｃ３のうち、当接平面部分８１ｃ１に近い側の部分においては、−Ｘ軸方向への移動変位が該小さい力Ｆ１２によって阻まれるに過ぎない。一方、平面部分８１ｃ３のうち、コネクタ９１に近い側の部分においては、トレイ６の移動に従って該平面部分８１ｃ３が−Ｘ軸方向に移動変位する。この結果、平面部分８１ｃ３において、当接平面部分８１ｃ１に近い部分とコネクタ９１に近い部分との間の部分には、トレイ６の移動に伴い、−Ｚ軸方向の小さなたるみが発生することになる。
【００３４】
以下の説明中で用いる図７−図８の各構成要素には、図７−図８の場合と同じ符号を付して用いるとする。
【００３５】
図９は、図１の光ディスク装置１００におけるトレイ引き込み移動時のフレキシブル配線基板８１の変形状態の説明図である。
【００３６】
図９において、（ａ）は、トレイ６の引き込み移動が開始された直後の状態、（ｂ）は、トレイ６が装置本体内に引き込まれ始めた移動途中の状態、（ｃ）は、トレイ６がさらに装置本体内へ引き込まれたときの状態、（ｄ）は、トレイ６の引き込み移動が完了したときの状態を示す。
【００３７】
図９（ａ）において、トレイ６がユニットメカ部とともにＡ方向に引き込み移動を開始した直後の状態では、フレキシブル配線基板８１は、その第２の平面部分８１ｃが、該トレイ６の移動変位により平面部分８１ｂとコネクタ９１との間で湾曲状に変形し、その一部の平面部分８１ｃ１がトップカバー２００の内面２００ａの凸状部３０１に対し、該トップカバー２００の端部２００ｔからＸ軸方向距離ｘ１ａの位置Ｃ１ａで当接（面接触）する。本（ａ）の状態においては、フレキシブル配線基板８１は、上記当接平面部分８１ｃ１においてトップカバー２００の内面２００ａの凸状部３０１の先端面に当接するとき、平面部分８１ｃ３は、トレイ６の移動変位によって該コネクタ９１側から押されて変形し、角θａの方向の力Ｆ１ａ１を平面部分８１ｃ１に作用させる。該平面部分８１ｃ１は、該力Ｆ１ａ１によって押された状態で凸状部３０１の先端面に位置Ｃ１ａにおいて当接する。当接平面部分８１ｃ１と凸状部３０１の先端面との当接は、図８に示すように、平面部分８１ｃ１の幅寸法ｗの一部例えば該幅寸法ｗの１／５から１／１０の部分において行われるため、該当接平面部分８１ｃ１と該凸状部３０１の先端面との間の摩擦は小さく、該当接平面部分８１ｃ１は該凸状部３０１の先端面に対し−Ｘ軸方向にすべる。該当接平面部分８１ｃ１は、このとき、該小さな摩擦に基づく小さな反力を受け、該反力に基づく力Ｆ１ａ２が平面部分８１ｃ３に作用する。このため、該平面部分８１ｃ３のうち、該当接平面部分８１ｃ１側にある部分においては、該部分が−Ｘ軸方向に移動しながら、該力Ｆ１ａ２により、トレイ６の移動に従って該平面部分８１ｃ３が−Ｘ軸方向に移動変位することが阻まれる。一方、平面部分８１ｃ３のうち、コネクタ９１側にある部分においては、トレイ６の移動に従って該平面部分８１ｃ３が−Ｘ軸方向に移動変位する。従って、平面部分８１ｃ３において、当接平面部分８１ｃ１側にある部分とコネクタ９１側にある部分との間の部分には、トレイ６の引き込み移動（−Ｘ軸方向の移動）に伴い、−Ｚ軸方向の小さなたるみが発生することになる。該たるみ量は少ないため、ボトムケース５０の端面部５０１とボトムカバー４０の端面部４０１との間の隙間１２０（Ｘ軸方向寸法ｘｇａ）から該たるみの一部が突出することはない。本光ディスク装置１００においては、該たるみ量は、トレイ６の引き込み移動の進行とともに次第に減少することになる。
【００３８】
上記（ａ）の状態後、トレイ６の引き込み移動動作は、フレキシブル配線基板８１の上記平面部分８１ｃ１が上記凸状部３０１の先端面に当接したままの状態で進行する。しかしながら、該平面部分８１ｃ１が該凸状部３０１の−Ｘ軸方向端部に達した時点では、該平面部分８１ｃ１と該凸状部３０１の先端面との当接状態が解除され始め、トレイ６の引き込み移動動作がさらに進行すると、該平面部分８１ｃ１は、図９（ｂ）に示すように、トップカバー２００の内面２００ａの平面部と当接状態になる。図９（ｂ）の状態においては、フレキシブル配線基板８１は、平面部分８１ｃ１が、トップカバー２００のＸ軸方向の端部２００ｔから距離ｘ１ｂの位置Ｃ１ｂで該トップカバー２００の内面２００ａの平面部に当接（面接触）状態となる。すなわち、当接平面部分８１ｃ１の位置は、トレイ６の移動変位に付随して、第２の平面部分８１ｃ内においてもまたトップカバー２００に対しても変化する。上記距離ｘ１ｂは、上記（ａ）の状態における距離ｘ１ａよりも大幅に大きい。図９（ｂ）の状態においては、フレキシブル配線基板８１の当接平面部分８１ｃ１がトップカバー２００の内面２００ａの平面部と当接するとき、平面部分８１ｃ３は、角θｂ（θｂ＜θａ）の方向の力Ｆ１ｂ１を当接平面部分８１ｃ１に作用させる。当接平面部分８１ｃ１は、該力Ｆ１ｂ１によって押された状態でトップカバー２００の内面２００ａの平面部に位置Ｃ１ｂにおいて当接する。該当接は、上記（ａ）の位置Ｃ１ａにおける当接と同様、フレキシブル配線基板８１の平面部分８１ｃ１の幅寸法ｗの一部において行われ、かつ、力Ｆ１ｂ１が角θｂの方向に作用するため、該当接平面部分８１ｃ１と、トップカバー２００の内面２００ａの平面部との間には、上記（ａ）の状態のときよりも一層小さな摩擦が生じ、当接平面部分８１ｃ１はトップカバー２００の内面２００ａの平面部に対して一層すべり易くなる。該当接平面部分８１ｃ１は、このとき、この小さな摩擦に基づいて小さな反力を受け、該反力に基づく力Ｆ１ｂ２が平面部分８１ｃ３側に作用する。このため、該平面部分８１ｃ３のうち、該当接平面部分８１ｃ１側にある部分においては、該部分が−Ｘ軸方向に移動しながら、該力Ｆ１ｂ２により、トレイ６の移動に従って該平面部分８１ｃ３が−Ｘ軸方向に移動変位することが阻まれる。一方、平面部分８１ｃ３のうち、コネクタ９１側にある部分においては、トレイ６の移動に従って該平面部分８１ｃ３が−Ｘ軸方向に移動変位する。従って、平面部分８１ｃ３において、当接平面部分８１ｃ１側にある部分とコネクタ９１側にある部分との間の部分には、トレイ６の引き込み移動（−Ｘ軸方向の移動）に伴い、−Ｚ軸方向の小さなたるみが発生することになる。上記力Ｆ１ｂ２は、上記（ａ）の状態における力Ｆ１ａ２よりも小さいために、該たるみ量も（ａ）の状態の場合よりも少ない。従って、本（ｂ）の状態においても、ボトムケース５０の端面部５０１とボトムカバー４０の端面部４０１との間の隙間１２０（Ｘ軸方向寸法ｘｇｂ）から該たるみの一部が突出することはない。該たるみは、トレイ６の引き込み移動の進行とともにさらに減少する。
【００３９】
トレイ６の引き込み移動動作が、上記図９（ｂ）の状態からさらに進むと、図９（ｃ）の状態となる。本（ｃ）の状態では、ボトムケース５０の端面部５０１とボトムカバー４０の端面部４０１との間の±Ｘ軸方向の隙間１２０はなくなり、ボトムケース５０のＸ軸方向側の部分とボトムカバー４０の−Ｘ軸方向側の部分とが平面的に重なった状態となる。また、フレキシブル配線基板８１の第２の平面部分８１ｃは、トップカバー２００の内面２００ａの平面部との当接状態から開放され、該平面部との間の摩擦もなく、該摩擦による反力も作用しない。また、本（ｃ）の状態では、フレキシブル配線基板８１は、第１の平面部分８１ａの一部と平面部分８１ｂの一部と第２の平面部分８１ｃの一部とが、トレイ６とボトムケース５０との間に入り込んだ状態となっていて、該第２の平面部分８１ｃの上方（Ｚ軸方向）への変位が抑えられている。
【００４０】
トレイ６の引き込み移動動作が、上記図９（ｃ）の状態からさらに進んで完了状態になると、図９（ｄ）の状態となって記録または再生動作が可能となる。図９（ｄ）の状態では、フレキシブル配線基板８１は、第１の平面部分８１ａの全部と平面部分８１ｂの全部がボトムカバー４０とボトムケース５０との間に収納され、第２の平面部分８１ｃの全部が、トレイ６とボトムケース５０との間に収納された状態になる。また、本図９（ｄ）の状態では、トップカバー２００の内面２００ａの凸状部３０１は、光ディスク２の半径よりも外側の位置にあり、光ディスク面に当接するおそれはない。
【００４１】
上記構成の光ディスク装置１００によれば、フレキシブル配線基板８１が、トレイ６の引き込み移動時にボトムケース５０とボトムカバー４０との間に挟み込まれないようにすることができ、薄型で信頼性の高い構造を実現することができる。装置の厚さ寸法は９．５×１０−３ｍ以下にすることが可能である。フレキシブル配線基板８１の厚さが厚い場合や幅が広い場合や硬い材質から成るなどの場合には剛性が高く可撓性が低くなるが、かかる場合にも、光ディスク装置１００においては、上記の作用・効果が確実に得られる。このため、低コストのフレキシブル配線基板を用いることも可能となる。
【００４２】
なお、実施例としての上記光ディスク装置１００では、トップカバー２００の内面２００ａの凸状部３０１の断面形状を、図５及び図８に示すように平坦な先端面を有する形状としたが、本発明はこれに限定されず、この他、例えば曲面状の先端面を有する形状としてもよい。さらに、上記光ディスク装置１００では、凸状部３０１がトップカバー２００の内面２００ａの平坦部に対して突出した構成としたが、この他、例えば、トップカバー２００の内面２００ａを凹凸形状にして、凸状部が凹部に対して突出した構成となるようにしてもよい。また、上記光ディスク装置１００では、装置の移動部上に設ける回路基板（第２の回路基板）はシャーシ５上に固定するとしたが、本発明はこれに限定されず、この他、例えばトレイ６上に固定してもよい。また、上記光ディスク装置１００に用いた可撓性の配線基板としてのフレキシブル配線基板８１は、平板状配線ケーブル（Ｆｌｅｘｉｂｌｅ  Ｆｌａｔ  Ｃａｂｌｅ）なども含むものとする。
【図面の簡単な説明】
【００４３】
【図１】本発明の実施例としての光ディスク装置の構成図である。
【図２】図１の光ディスク装置においてトップカバーを外したときの状態を示す斜視図である。
【図３】図１の光ディスク装置のトップカバーの斜視図である。
【図４】図３のトップカバーの要部拡大図である。
【図５】図３のトップカバーの要部断面図である。
【図６】図１の光ディスク装置においてトレイが装置本体内に光ディスクを搬入し終わった状態における概略的断面構造図である。
【図７】図１の光ディスク装置におけるトレイの引き込み移動時のフレキシブル配線基板の状態の説明図である。
【図８】図１の光ディスク装置におけるフレキシブル配線基板とトップカバーとの当接状態を示す断面図である。
【図９】図１の光ディスク装置におけるトレイ引き込み移動時のフレキシブル配線基板の変形状態の説明図である。
【図１０】従来の光ディスク装置の表面側の構成を示す図である。
【図１１】従来の光ディスク装置においてトップカバーを外した場合の状態を示す図である。
【図１２】従来の光ディスク装置の裏面側の構成を示す斜視図である。
【図１３】従来の光ディスク装置におけるトレイ引き込み移動時のフレキシブル配線基板の変形状態の説明図である。
【図１４】従来の光ディスク装置におけるトレイ引き込み移動時のフレキシブル配線基板とトップカバーとの当接状態の説明図である。
【符号の説明】
【００４４】
１００、１００'…光ディスク装置、
２…光ディスク、
３、３'…ディスクモータ、
３ａ、３ａ'…ターンテーブル、
３ｂ、３ｂ'…クランパ、
４、４'…光ピックアップ、
４ａ…対物レンズ、
５、５'…シャーシ、
６、６'…トレイ、
７、７'…カバー、
８、８０'、８１…フレキシブル配線基板、
１０、１０'…前面パネル、
４０、４０'…ボトムカバー、
５０、５０'…ボトムケース、
５０ａ、５０ａ'…ボトムケース内面、
５１、５１'…レール部材、
５２…ガイドレール部材、
６０、６０'…モータ固定板、
８５…メイン回路基板（第１の回路基板）、
８６…シャーシ側の回路基板（第２の回路基板）、
９０、９０'、９１、９１'…コネクタ、
１２０、１２０'…隙間、
２００、２００'…トップカバー、
２００ａ、２００ａ'…トップカバーの内面、
３０１、３０１ａ、３０１ｂ、３０１ｃ…凸状部。
【図１】
2009110599.tif 000003
【図２】
2009110599.tif 000004
【図３】
2009110599.tif 000005
【図４】
2009110599.tif 000006
【図５】
2009110599.tif 000007
【図６】
2009110599.tif 000008
【図７】
2009110599.tif 000009
【図８】
2009110599.tif 000010
【図９】
2009110599.tif 000011
【図１０】
2009110599.tif 000012
【図１１】
2009110599.tif 000013
【図１２】
2009110599.tif 000014
【図１３】
2009110599.tif 000015
【図１４】
2009110599.tif 000016